(57)【要約】【課題】挿入形態を誤って挿入された第１カード、第２カードの誤挿入の防止を簡単な構造で実現させることができる。【解決手段】所定の装着位置に装着した第１カード１、第２カード２のそれぞれを挿入口３ａ方向に押し出すスライド部材６が、第１カード１、第２カード２が誤挿入された際に係合する１つの規制部材１２を有し、この規制部材１２を、第１カード１が誤挿入され、この第１カード１がこの規制部材１２に係合した際に、この第１カード１の接触部材を第１コンタクト端子４ａに接触させない形状であって、第２カード２が誤挿入され、この第２カード２がこの規制部材１２に係合した際に、この第２カード２を第２装着位置５ａに装着させない形状に設定してある。【選択図】図３
2006351282.tif 000002
【特許請求の範囲】
【請求項１】
第１カードが装着可能な第１装着位置と、上記第１カードに比べて長さ寸法が短い第２カードが装着可能な第２装着位置を有するハウジングと、上記第１装着位置に設けられ、上記第１カードの接触部材と接触する第１コンタクト端子、及び上記第２装着位置に設けられ、上記第２カードの接触部材と接触可能な第２コンタクト端子と、
カード挿抜方向に摺動可能であって、上記ハウジングの上記第１装着位置に装着された上記第１カード、及び上記ハウジングの上記第２装着位置に装着された上記第２カードのそれぞれを挿入口方向へ押し出すスライド部材と、このスライド部材をカード排出方向へ付勢する付勢部材と、上記スライド部材を、上記付勢部材の付勢力に抗して上記第１カードが上記第１装着位置に装着された状態で、または、上記第２カードが上記第２装着位置に装着された状態で、ロックするロック手段とを備えるとともに、
上記スライド部材は、
上記第１カード及び上記第２カードが挿入形態を誤って誤挿入された際に、それぞれの該当するカードが係合し、その該当するカードの上記スライド部材に対する動きを規制する１つの規制部材を有し、
この規制部材を、
上記第１カードが誤挿入され、この第１カードがこの規制部材に係合した際に、この第１カードの接触部材を上記第１コンタクト端子に接触させない形状であって、上記第２カードが誤挿入され、この第２カードがこの規制部材に係合した際に、この第２カードを上記第２装着位置に装着させない形状に設定したことを特徴とするカード用コネクタ装置。
【請求項２】
上記請求項１記載の発明において、
上記規制部材の上記カード挿抜方向に沿う方向の長さ寸法を、
上記第２カードが誤挿入されてこの第２カードが規制部材に係合し、この第２カードの前端部が挿入口に略一致する位置まで押し込まれる間、この第２カードが上記第２装着位置に至らない範囲で、上記スライド部材を摺動可能にさせる長さ寸法に設定したことを特徴とするカード用コネクタ装置。
【発明の詳細な説明】
【技術分野】
【０００１】
本発明は、第１カードと第２カードとが選択的に装着される装着位置を有するハウジングを備えたカード用コネクタ装置に関する。
【背景技術】
【０００２】
この種の従来技術として、特許文献１に示されるものがある。この従来技術は、第１カードすなわち大形カードと、第２カードすなわち小形カードとが選択的に装着される所定の装着位置を有するハウジングを備えている。また、カード挿抜方向に摺動可能であって、ハウジングの所定の装着位置に装着された大形カード、小形カードのそれぞれを挿入口方向へ押し出すスライド部材、すなわちスライド体を備えている。また、このスライド体をカード排出方向へ付勢する付勢部材、すなわちコイルバネから成るイジェクトバネと、大形カード、小形カードの所定の装着位置においてスライド体をロックするロック手段、すなわちハート形のカム溝とカムピンとから成るロック機構を備えている。
【０００３】
さらに、この従来技術は、大形カードが挿入形態を誤って誤挿入された際に、この大形カードが係合してその大形カードの所定の装着位置への装着を阻止する固定ロック規制手段を本体ボディに備えるとともに、小形カードが挿入形態を誤って誤挿入された際に、この小形カードを自動的に排出させる可動ロック規制部材を備えている。すなわち、大形カード、小形カードのそれぞれに対応した誤挿入規制部材を備えた構成になっている。
【特許文献１】特開２００５−５０７４１公報
【発明の開示】
【発明が解決しようとする課題】
【０００４】
上述した従来技術は、大形カード、小形カードのそれぞれに応じた誤挿入規制部材を備えていることから、すなわち、第１カード、第２カードのそれぞれに固有の誤挿入規制部材を備えていることから、構造が複雑であり、これに伴って制作費が高くなる問題がある。
【０００５】
本発明は、上述した従来技術における実状からなされたもので、その目的は、挿入形態を誤って挿入された第１カード、第２カードの誤挿入の防止を簡単な構造で実現させることができるカード用コネクタ装置を提供することにある。
【課題を解決するための手段】
【０００６】
この目的を達成するために、本発明は、第１カードが装着可能な第１装着位置と、上記第１カードに比べて長さ寸法が短い第２カードが装着可能な第２装着位置を有するハウジングと、上記第１装着位置に設けられ、上記第１カードの接触部材と接触する第１コンタクト端子、及び上記第２装着位置に設けられ、上記第２カードの接触部材と接触可能な第２コンタクト端子と、カード挿抜方向に摺動可能であって、上記ハウジングの上記第１装着位置に装着された上記第１カード、及び上記ハウジングの上記第２装着位置に装着された上記第２カードのそれぞれを挿入口方向へ押し出すスライド部材と、このスライド部材をカード排出方向へ付勢する付勢部材と、上記スライド部材を、上記付勢部材の付勢力に抗して上記第１カードが上記第１装着位置に装着された状態で、または、上記第２カードが上記第２装着位置に装着された状態で、ロックするロック手段とを備えるとともに、上記スライド部材は、上記第１カード及び上記第２カードが挿入形態を誤って誤挿入された際に、それぞれの該当するカードが係合し、その該当するカードの上記スライド部材に対する動きを規制する１つの規制部材を有し、この規制部材を、上記第１カードが誤挿入され、この第１カードがこの規制部材に係合した際に、この第１カードの接触部材を上記第１コンタクト端子に接触させない形状であって、上記第２カードが誤挿入され、この第２カードがこの規制部材に係合した際に、この第２カードを上記第２装着位置に装着させない形状に設定したことを特徴としている。
【０００７】
このように構成した本発明は、挿入形態を誤って第１カードが誤挿入された場合、あるいは挿入形態を誤って第２カードが誤挿入された場合のいずれも、第１カードあるいは第２カードがスライド部材の規制部材に係合する。
【０００８】
第１カードが誤挿入された場合には、この第１カードの挿入に伴って規制部材を介してスライド部材が装置奥側へ移動するものの、規制部材の形状によりこの第１カードの接触部材が第１装着位置の第１コンタクト端子に接触する事態を生じることがない。したがって、第１カードに係る信号の送受信を行なうことができない。
【０００９】
また、第２カードが誤挿入された場合にも、この第２カードの挿入に伴って規制部材を介してスライド部材が装置奥側へ移動するものの、規制部材の形状により、この第２カードが第２装着位置にロックされることがない。したがって、第２カードに与えていた押し込み力を除くことにより、付勢部材の付勢力によってスライド部材がカード排出方向へ摺動し、このスライド部材によって第２カードが押し出される。
【００１０】
このように本発明は、第１カードと第２カードの２つのカードの誤挿入の防止を、スライド部材に１つの規制部材を設けるだけの簡単な構造で実現させることができる。
【００１１】
また、本発明は、上記発明において、上記規制部材の上記カード挿抜方向に沿う方向の長さ寸法を、上記第２カードが誤挿入されてこの第２カードが規制部材に係合し、この第２カードの前端部が挿入口に略一致する位置まで押し込まれる間、この第２カードが上記第２装着位置に至らない範囲で、上記スライド部材を摺動可能にさせる長さ寸法に設定したことを特徴としている。
【００１２】
このように構成した本発明は、誤挿入された第２カードの前端部が挿入口に略一致する位置まで押し込まれても、この第２カードを第２装着位置に装着させることなくスライド部材を介して確実に排出させることができる。
【発明の効果】
【００１３】
本発明は、スライド部材が、第１カード及び第２カードが挿入形態を誤って誤挿入された際に、該当するカードに係合して、その該当するカードのスライド部材に対する動きを規制する１つの規制部材を有する構成にしてあることから、第１カードと第２カードの２つのカードの誤挿入の防止を、スライド部材に１つの規制部材を設けるだけの簡単な構造で実現させることができ、従来に比べて制作費を低減させることができる。
【発明を実施するための最良の形態】
【００１４】
以下，本発明に係るカード用コネクタ装置を実施するための最良の形態を図に基づいて説明する。
【００１５】
［本実施形態に使用される第１カード］
図１は本発明に係るカード用コネクタ装置の一実施形態に使用される第１カードを示す図で、（ａ）図は平面図、（ｂ）図は側面図である。
【００１６】
この図１に示すように、本実施形態で使用される第１カード１は、長さ寸法が比較的長く設定されている。この第１カード１の前端部１ａの一方の隅部には、斜めに切欠き形成された斜縁部１ｂを有する。また、裏面には第１カード１の長さ方向に沿う溝部１ｅを形成してある。図示しないが裏面の前端部１ａの付近には、信号の送受信に活用される接触部材を備えている。この第１カード１は、正しい挿入形態では、例えば手前側端部１ｄを把持して本実施形態のカード用コネクタ装置に挿入される。
【００１７】
［本実施形態に使用される第２カード］
図２は本実施形態に使用される第２カードを示す図で、（ａ）図は平面図、（ｂ）図は側面図である。
【００１８】
この図２に示すように、本実施形態で使用される第２カード２は、第１カード１に比べて長さ寸法を短く設定してある。この第２カード２の幅寸法は、例えば第１カード１の幅寸法と同じ寸法に設定してある。この第２カード２の前端部２ａの一方の隅部には、切欠き部２ｂを形成してある。図示しないが裏面の前端部２ａの付近には、信号の送受信に活用される接触部材を備えている。この第２カード２も、手前側端部２ｃを把持して本実施形態のカード用コネクタ装置に挿入される。
【００１９】
［本実施形態の構成］
図３は本実施形態において上方を覆うカバー部材を除いた状態を示す平面図、図４は本実施形態に備えられるスライド部材を示す図で、（ａ）図は平面図、（ｂ）図は左側面図、（ｃ）図は右側面図、（ｄ）図は正面図、（ｅ）図は背面図である。図５は本実施形態に備えられる第１係合部材を示す図で、（ａ）図は平面図、（ｂ）図は左側面図、（ｃ）図は右側面図、（ｄ）図は正面図、（ｅ）図は背面図である。図６は本実施形態に備えられる第２係合部材を示す図で、（ａ）図は平面図、（ｂ）図は左側面図、（ｃ）図は右側面図、（ｄ）図は正面図、（ｅ）図は背面図である。図７は図５に示す第１係合部材と図６に示す第２係合部材を組み合わせた状態を示す図で、（ａ）図は平面図、（ｂ）図は左側面図、（ｃ）図は右側面図、（ｄ）図は正面図、（ｅ）図は背面図である。
【００２０】
上方を覆うカバー部材を除いた図３に示すように、本実施形態は、本体を形成するハウジング３を備え、このハウジング３の手前側部分に、上述した第１カード１、第２カード２が挿入される挿入口３ａが形成されている。
【００２１】
このハウジング３の底部には、装置奥側に第１カード１が装着される所定の装着位置を形成する第１装着位置４ａを設けてあり、この第１装着位置４ａの手前側に第２カード２が装着される第２装着位置５ａが設けてある。第１装着位置４ａには、第１カード１の上述した接触部材と接触する複数の第１コンタクト端子４を配置してあり、第２装着位置５ａには、第２カード２の上述した接触部材と接触する複数の第２コンタクト端子５を配置してある。
【００２２】
ハウジング３の同図３の左側部分には、ハウジング３の第１装着位置４ａ、第２装着位置５ａにそれぞれ選択的に装着された第１カード１、第２カード２をカード排出方向へ押し出すスライド部材６を備えている。また、このスライド部材６に支持され、挿入された第１カード１の移動を許容させる所定の退避位置と、挿入された第１カード１と係合する所定の突出位置との間で変位可能な係合部材を備えている。この係合部材は、第１カード１との係合に伴って上述した所定の退避位置に変位する第１係合部材１０と、この第１係合部材１０に回動可能に保持され、第２カード２と当接し、第２カード２の移動に伴って回動した後、スライド部材６を装置奥側へ移動させる第２係合部材１１とから成っている。第１係合部材１０は、第２カード２の挿入時にこの第２カード２と係合しない位置に予め配置してある。図３に示す状態は、第１係合部材１０と第２係合部材１１が、所定の突出位置に保持されている状態が示されている。
【００２３】
上述のスライド部材６は、図４に示すように、第１カード１の前端部１ａが当接する当接部６ａを備えている。また、上述した所定の退避位置を構成する逃げ部６ｂを備えている。すなわち、退避時には、第１係合部材１０は、このスライド部材６の逃げ部６ｂに収容されるようになっている。
【００２４】
第１係合部材１０は、図５に示すように、スライド部材６の逃げ部６ｂに形成した穴部６ｃに挿入される軸部１０ａを備えている。この軸部１０ａが穴部６ｃに挿入されることにより、第１係合部材１０はスライド部材６に回動可能に支持されている。図５に示すように、第１係合部材１０の先端部分には、穴部１０ｂを形成してあり、一方の側部には、第１係合部材１０が係合するガイド部１０ｃを形成してある。
【００２５】
上述の第１係合部材１０の穴部１０ｂには、図６に示す第２係合部材１１の軸部１１ａが挿入される。これにより、第２係合部材１１は第１係合部材１０に回動可能に支持されている。また、この第２係合部材１１には、同図６の（ａ）図に示すように突起部１１ｂを形成してある。
【００２６】
また、上述したスライド部材６には、図４の（ｂ）図に示すように、このスライド部材６をカード排出方向へ付勢する例えばコイルバネから成る図示しない付勢部材が係着されるばね受け６ｄを設けてある。さらに、このスライド部材６には、図４の（ａ）図に示すように、第２係合部材１１の上述した突起部１１ｂが係合し、この第２係合部材１１のそれ以上の回動を阻止する突起部６ｅを形成してある。
【００２７】
第１係合部材１０と第２係合部材１１とを組み合わせると、図７のようになるが、この状態において第２係合部材１１は図示しないばねにより例えば右回りに付勢されている。また、第１係合部材１０は、図３に示す状態において、図示しないばねにより例えば右回りに付勢されている。
【００２８】
また、本実施形態は、スライド部材６を、図示しない付勢部材の付勢力に抗して、第１装着位置４ａに第１カード１が装着された状態で、あるいは第２装着位置５ａに第２カード２が装着された状態でロックするロック手段を備えている。このロック手段は、図３に示すように、一端部８ａがハウジング３に揺動可能に支持され、他端部８ｂが同図３の裏面に向かうように伸設されるカムピンを有する揺動部材８と、この揺動部材８のカムピンが相対的に摺動するハートカム溝９とから構成されている。ハートカム溝９は、図４に示すように、スライド部材６に形成され、往路９ａと、復路９ｂと、ロック部９ｃとを有している。
【００２９】
また、本実施形態のスライド部材６は、図３，４に示すように、第１カード１及び第２カード２が挿入形態を誤って誤挿入された際に、第１カード１及び第２カード２のそれぞれ該当するカードが係合し、その該当するカードのスライド部材６に対する動きを規制する１つの規制部材１２を備えている。
【００３０】
この規制部材１２は、第１カード１が誤挿入され、この第１カード１がこの規制部材１２に係合した際に、この第１カード１の接触部材を第１装着位置４ａの第１コンタクト端子４に接触させない形状であって、第２カード２が誤挿入され、この第２カード２がこの規制部材１２に係合した際に、この第２カード２を第２装着位置５ａに装着させない形状に設定してある。
【００３１】
例えば、この規制部材１２を細長形状に形成してあり、そのカード挿抜方向に沿う方向の長さ寸法を、第２カード２が誤挿入されてこの第２カード２が規制部材１２に係合し、この第２カード２が挿入口３ａに略一致する位置まで押し込まれる間、この第２カード２が第２装着位置５ａに至らない範囲で、スライド部材６を摺動可能にさせる長さ寸法に設定してある。
【００３２】
［第１カードの正しい挿入］
図８は本実施形態に第１カードが正しい形態で挿入された状態を示す平面図である。図９は本実施形態に挿入された第１カードが第１係合部材に接触し、この第１係合部材が回動し始めた状態を示す平面図、図１０は本実施形態に挿入された第１カードがスライド部材の当接部に当接するまで押し込まれた状態を示す平面図である。図１１は本実施形態に挿入された第１カードが第１装着位置に装着された状態を示す平面図である。
【００３３】
上述した図３に示すように、カードが挿入されていない状態では、図示しない付勢部材の付勢力により、スライド部材６は排出位置に保持され、第１係合部材１０及び第２係合部材１１は、同図３に示す所定の突出位置に保持されている。ロック手段を構成する揺動部材８のカムピンは、図４に示すハートカム溝９の往路９ａの奥側に位置している。
【００３４】
このような状態において、図８に示すように、長さ寸法の長い第１カード１がハウジンクグ３の挿入口３ａから挿入されると、この第１カード１の斜縁部１ｂが第１係合部材１０のガイド部１０ｃに係合する。この状態から第１カード１がさらに押し込まれると、第１係合部材１０を付勢する図示しないばねの力に抗して図９に示すように、第１係合部材１０が第２係合部材１１とともに、所定の退避位置方向に回動し始める。さらに第１カード１が押し込まれると、図１０に示すように、第１係合部材１０が所定の退避位置まで回動し、逃げ部６ｂ内に収容されるとともに、第１カード１の前端部１ａがスライド部材６の当接部６ａに当接する。なお、この間、スライド部材６の規制部材１２は、第１カード１の図１に示す逃げ溝１ｃ内に収容される。したがって、第１カード１の移動が規制部材１２によって阻止される事態を生じることがない。
【００３５】
この状態から、さらに第１カード１が押し込まれると、第１カード１とともにスライド部材６が図示しない付勢部材の付勢力に抗して装置奥側に向かって摺動し、図１１に示すように、第１カード１は第１装着位置４ａに至る。この間、スライド部材６の摺動に伴って揺動部材８のカムピンがハートカム溝９の往路９ａ上を相対的に摺動し、図４に示したロック部９ｃに係止される。これによりスライド部材６がロックされ、このスライド部材６の排出方向への摺動が阻止される。したがって、第１カード１は第１装着位置４ａに安定した状態で装着される。
【００３６】
このように、第１カード１が第１カード装着位置４ａに装着された状態では、第１カード１の裏面に形成された図示しない接触部材が第１コンタクト端子４に接触し、この第１カード１に係る信号の送受信が可能となる。
【００３７】
［第１カードの排出］
図１１に示すように、第１カード１が第１装着位置４ａに装着されている状態から、第１カード１を装置奥側に押してオーバーストロークさせると、スライド部材６の移動に伴って揺動部材８のカムピンがハートカム溝９のロック部９ｃから外れる。これにより、スライド部材６のロックが解除され、図示しない付勢部材の付勢力によってスライド部材６が排出方向に摺動する。この間、揺動部材８のカムピンがハートカム溝９の復路９ｂ上を相対的に摺動する。これにより、第１カード１がスライド部材６の当接部６ｂを介して押し出され、図１０に示す状態となる。
【００３８】
この状態において、第１カード１の手前側端部１ｄを把持することにより、第１カードをハウジング３の挿入口３ａから抜き取ることができる。この第１カード１の抜き取り操作に伴って、第１係合部材１０及び第２係合部材１１は、上述した図３に示す初期状態に復帰する。
【００３９】
［第２カードの正しい挿入］
図１２は本実施形態に第２カードが正しい形態で挿入された状態を示す平面図、図１３は本実施形態に挿入された第２カードが第２係合部材に係合し、この第２係合部材が回動し始めた状態を示す平面図、図１４は本実施形態に挿入された第２カードが第２装着位置に装着された状態を示す平面図である。
【００４０】
上述した図３に示すカードが挿入されていない状態から、長さ寸法の短い第２カード２がハウジング３の挿入口３ａから挿入されると、図１２に示すように、第２カード２の前端部２ａが第２係合部材１１に当接し、図１３に示すように、挿入された第２カード２の移動に伴ってこの第２係合部材１１を図示しないばねの力に抗して左回りに回動させる。これにより、同図１３に示すように、第２係合部材１１の突起部１１ｂがスライド部材６の突起部６ｅに係合し、第２係合部材１０のそれ以上の回動が阻止される。この間、第１係合部材１０のガイド部１０ｃは第２カード２の切欠き部２ｂ内に位置する。したがって、第２カード２の挿入時に、この第２カード２と第１係合部材１０との係合を生じることがない。
【００４１】
この状態から第２カード２がさらに押し込まれると、第２カード２の前端部２ａによって、第２係合部材１１が押され、スライド部材６が第２カード２の移動に伴って図示しない付勢部材の付勢力に抗して装置奥側に向かって摺動し、図１４に示すように、第２カード２は第２装着位置５ａに至る。この間、スライド部材６に支持された揺動部材８のカムピンがハートカム溝９の往路９ａ上を相対的に摺動し、ロック部９ｃにおいて係止される。これにより、スライド部材６がロックされ、第２カード２は第２装着位置５ａに安定した状態で装着される。
【００４２】
このように、第２カード２が第２装着位置５ａに装着された状態では、第２カード２の裏面に形成された図示しない接触部材が第２コンタクト端子５に接触し、この第２カード２に対する信号の送受信が可能となる。
【００４３】
［第２カードの排出］
図１４に示すように、第２カード２が第２装着位置５ａに装着されている状態から、第２カード２を装置奥側に押してオーバーストロークさせると、スライド部材６の移動に伴って揺動部材８のカムピンがハートカム溝９のロック部９ｃから外れる。これにより、スライド部材６のロックが解除され、図示しない付勢部材の付勢力によってスライド部材６が排出方向に摺動し、図１２に示す状態となる。この間、揺動部材８のカムピンがハートカム溝９の復路９ｂ上を相対的に摺動し、第２係合部材１１は図示しないばねの力により右回りに所定位置まで回動する。
【００４４】
図１２に示す状態まで排出された第２カード２は、手前側端部２ｃを把持することにより、ハウジング３の挿入口３ａから抜き取ることができる。第２カード２の抜き取りにより、上述した図３に示す初期状態に復帰する。
【００４５】
［第１カードの誤挿入］
図１５は本実施形態に第１カードが前後を逆にして誤挿入された状態を示す平面図、図１６は本実施形態に前後を逆にして誤挿入された第１カードが第１係合部材に接触した状態を示す平面図である。図１７は本実施形態に前後を逆にして誤挿入された第１カードが規制部材に係合した状態を示す平面図、図１８は本実施形態に前後を逆にして誤挿入された第１カードが規制部材に係合した後、さらに押し込まれてスライド部材がロックされた状態を示す平面図である。
【００４６】
図１５に示すように、第１カード１が例えば前後を逆にして挿入口３ａから誤挿入され、押し込まれると、図１６に示すように、第１カード１の手前側端部１ｄが第１係合部材１０のガイド部１０ｃに係合する。したがって、さらにこの第１カード１が押し込まれると、図１７に示すように、第１係合部材１０が回動し、第２係合部材１１とともに所定の退避位置、すなわち逃げ部６ｂに収容される。これとともに、第１カード１の手前側端部１ｄがスライド部材６に設けた規制部材１２に係合する。
【００４７】
この状態からさらに第１カード１が押し込まれると、第１カード１の移動に伴ってスライド部材６が規制部材１２を介して、図示しない付勢部材の付勢力に抗して装置奥側に向かって摺動する。この間、揺動部材８のカムピンがハートカム溝９の往路９ａ上を相対的に摺動し、図４に示したロック部９ｃに係止される。これにより図１８に示す状態となり、スライド部材６がロックされる。
【００４８】
この状態にあっては、第１カード１の前端部１ａ付近に設けられた図示しない接触部材は挿入口３ａの付近に、あるいは挿入口３ａの外部に位置する。したがって、この第１カード１の接触部材と、第１装着位置４ａの第１コンタクト端子４とが接触することがない。すなわち、第１カード１に係る信号の送受信を行なうことができない。
【００４９】
誤挿入であることに気付き、この第１カード１を装置奥側に押してオーバーストロークさせると、スライド部材６の移動に伴って揺動部材８のカムピンがハートカム溝９のロック部９ｃから外れる。これにより、スライド部材６のロックが解除され、図示しない付勢部材の付勢力によってスライド部材６が排出方向に摺動する。この間、揺動部材８のカムピンがハートカム溝９の復路９ｂ上を相対的に摺動する。これにより第１カード１がスライド部材６の規制部材１２を介して押し出され、図１７に示す状態となる。
【００５０】
この状態において、第１カード１の前端部１ａを把持することにより、この第１カード１をハウジング３の挿入口３ａから抜き取ることができる。
【００５１】
なお、上記では第１カード１の前後を逆にして誤挿入された場合について述べたが、第１カード１の表裏を逆にして誤挿入された場合も上述と同様である。
【００５２】
［第２カードの誤挿入］
図１９は本実施形態に第２カードが前後を逆にして誤挿入された状態を示す平面図、図２０は本実施形態に前後を逆にして誤挿入された第２カードが第１係合部材に係合し、この第１係合部材が回動し始めた状態を示す平面図である。図２１は本実施形態に前後を逆にして誤挿入された第２カードが規制部材に係合した状態を示す平面図、図２２は本実施形態に前後を逆にして誤挿入された第２カードが規制部材に係合した後、さらにこの第２カードの前端部が挿入口に略一致するまで押し込まれた状態を示す平面図である。
【００５３】
図１９に示すように、第２カード２が例えば前後を逆にして挿入口３ａから誤挿入され、押し込まれると、図１９，２０に示すように、第２カード２の手前側端部２ｃが第１係合部材１０のガイド部１０ｃに係合する。したがって、さらにこの第２カード２が押し込まれると、図２１に示すように、第１係合部材１０が回動し、第２係合部材１１とともに、第２カード２の手前側端部２ｃがスライド部材６に設けた規制部材１２に係合する。
【００５４】
この状態からさらに第２カード２が押し込まれると、第２カード２の移動に伴ってスライド部材６が規制部材１２を介して図示しない付勢部材の付勢力に抗して装置奥側に向かって摺動する。この間、揺動部材８のカムピンがハートカム溝９の往路９ａ上を相対的に摺動する。
【００５５】
図２２に示すように、第２カード２の前端部２ａが挿入口３ａに略一致するまでこの第２カード２が押し込まれても、揺動部材８のカムピンはハートカム溝９の往路９ａ上に位置する。このために、スライド部材６がロックされることがない。
【００５６】
したがって、誤挿入であることに気付き、第２カード２に与えていた押し込み力を除くことにより、図示しない付勢部材の付勢力によってスライド部材６がカード排出方向へ摺動する。その結果、このスライド部材６の規制部材１２を介して第２カード２が図２１に示す状態まで押し出される。
【００５７】
この状態において、第２カード２の前端部２ａを把持することにより、この第２カード２をハウジング３の挿入口３ａから抜き取ることができる。
【００５８】
なお、上記では第２カード２が前後を逆にして誤挿入された場合について述べたが、第２カード２の表裏を逆にして誤挿入された場合も上述と同様である。
【００５９】
［本実施形態の効果］
上述のように構成した本実施形態によれば、第１カード１と第２カード２の２つのカードの誤挿入の防止を、スライド部材６に１つの規制部材１２を設けるだけの簡単な構造で実現させることができる。これにより、制作費を低減させることができる。
【００６０】
また、本実施形態は、規制部材１２のカード挿抜方向に沿う方向の長さ寸法を、第２カード２が誤挿入されてこの第２カード２が規制部材１２に係合し、この第２カード２の前端部２ａが挿入口３ａに略一致する位置まで押し込まれる間、この第２カード２が第２装着位置５ａに至らない範囲で、スライド部材６を摺動可能にさせる長さ寸法に設定してある。これにより、誤挿入された第２カード２の前端部２ａが挿入口３ａに略一致する位置まで押し込まれても、この第２カード２を第２装着位置５ａに装着させることなくスライド部材６を介して確実に排出させることができ、優れた誤挿入防止機能が得られる。
【図面の簡単な説明】
【００６１】
【図１】本発明に係るカード用コネクタ装置の一実施形態に使用される第１カードを示す図で、（ａ）図は平面図、（ｂ）図は側面図である。
【図２】本実施形態に使用される第２カードを示す図で、（ａ）図は平面図、（ｂ）図は側面図である。
【図３】本実施形態において上方を覆うカバー部材を除いた状態を示す平面図である。
【図４】本実施形態に備えられるスライド部材を示す図で、（ａ）図は平面図、（ｂ）図は左側面図、（ｃ）図は右側面図、（ｄ）図は正面図、（ｅ）図は背面図である。
【図５】本実施形態に備えられる第１係合部材を示す図で、（ａ）図は平面図、（ｂ）図は左側面図、（ｃ）図は右側面図、（ｄ）図は正面図、（ｅ）図は背面図である。
【図６】本実施形態に備えられる第２係合部材を示す図で、（ａ）図は平面図、（ｂ）図は左側面図、（ｃ）図は右側面図、（ｄ）図は正面図、（ｅ）図は背面図である。
【図７】図５に示す第１係合部材と図６に示す第２係合部材を組み合わせた状態を示す図で、（ａ）図は平面図、（ｂ）図は左側面図、（ｃ）図は右側面図、（ｄ）図は正面図、（ｅ）図は背面図である。
【図８】本実施形態に第１カードが正しい形態で挿入された状態を示す平面図である。
【図９】本実施形態に挿入された第１カードが第１係合部材に接触し、この第１係合部材が回動し始めた状態を示す平面図である。
【図１０】本実施形態に挿入された第１カードがスライド部材の当接部に当接するまで押し込まれた状態を示す平面図である。
【図１１】本実施形態に挿入された第１カードが第１装着位置に装着された状態を示す平面図である。
【図１２】本実施形態に第２カードが正しい形態で挿入された状態を示す平面図である。
【図１３】本実施形態に挿入された第２カードが第２係合部材に係合し、この第２係合部材が回動し始めた状態を示す平面図である。
【図１４】本実施形態に挿入された第２カードが第２装着位置に装着された状態を示す平面図である。
【図１５】本実施形態に第１カードが前後を逆にして誤挿入された状態を示す平面図である。
【図１６】本実施形態に前後を逆にして誤挿入された第１カードが第１係合部材に接触した状態を示す平面図である。
【図１７】本実施形態に前後を逆にして誤挿入された第１カードが規制部材に係合した状態を示す平面図である。
【図１８】本実施形態に前後を逆にして誤挿入された第１カードが規制部材に係合した後、さらに押し込まれてスライド部材がロックされた状態を示す平面図である。
【図１９】本実施形態に第２カードが前後を逆にして誤挿入された状態を示す平面図である。
【図２０】本実施形態に前後を逆にして誤挿入された第２カードが第１係合部材に係合し、この第１係合部材が回動し始めた状態を示す平面図である。
【図２１】本実施形態に前後を逆にして誤挿入された第２カードが規制部材に係合した状態を示す平面図である。
【図２２】本実施形態に前後を逆にして誤挿入された第２カードが規制部材に係合した後、さらにこの第２カードの前端部が挿入口に略一致するまで押し込まれた状態を示す平面図である。
【符号の説明】
【００６２】
１    第１カード
１ａ  前端部
１ｂ  斜縁部
１ｃ  逃げ溝
１ｄ  手前側端部
２    第２カード
２ａ  前端部
２ｂ  切欠き部
２ｃ  手前側端部
３    ハウジング
３ａ  挿入口
４    第１コンタクト端子
４ａ  第１装着位置
５    第２コンタクト端子
５ａ  第２装着位置
６    スライド部材
６ａ  当接部
６ｂ  逃げ部
６ｃ  穴部
６ｄ  ばね受け
６ｅ  突起部
８    揺動部材（ロック手段）
８ａ  一端部
８ｂ  他端部
９    ハートカム溝（ロック手段）
９ａ  往路
９ｂ  復路
９ｃ  ロック部
１０    第１係合部材
１０ａ  軸部
１０ｂ  穴部
１０ｃ  ガイド部
１１    第２係合部材
１１ａ  軸部
１１ｂ  突起部
１２    規制部材
【図１】
2006351282.tif 000003
【図２】
2006351282.tif 000004
【図３】
2006351282.tif 000005
【図４】
2006351282.tif 000006
【図５】
2006351282.tif 000007
【図６】
2006351282.tif 000008
【図７】
2006351282.tif 000009
【図８】
2006351282.tif 000010
【図９】
2006351282.tif 000011
【図１０】
2006351282.tif 000012
【図１１】
2006351282.tif 000013
【図１２】
2006351282.tif 000014
【図１３】
2006351282.tif 000015
【図１４】
2006351282.tif 000016
【図１５】
2006351282.tif 000017
【図１６】
2006351282.tif 000018
【図１７】
2006351282.tif 000019
【図１８】
2006351282.tif 000020
【図１９】
2006351282.tif 000021
【図２０】
2006351282.tif 000022
【図２１】
2006351282.tif 000023
【図２２】
2006351282.tif 000024